(57)【要約】装置は、それぞれ光を伝導するように構成された長手方向コア（１１０）を有し、導波路束軸（１１４）に沿って実質的に整列された複数の光導波路（１０４）、（１０６）、（１０８）を含む光導波路束（１０２）と、それぞれブラッグ反射器（１１８）、（１２０）、（１２２）を含む複数の光導波路であって、ブラッグ反射器は、導波路束軸を実質的に横切る方向から光導波路へ入射する光を、長手方向コアに伝播モードで結合するように構成される、複数の光導波路と、長手方向コアに伝導される光を検出するように構成された光検出器（１２６）、（１２８）、（１３０）とそれぞれ光通信する複数の長手方向コアとを含む。
2009532703.tif 000002
【特許請求の範囲】
【請求項１】
装置であって、
それぞれ光を伝導するように構成された長手方向コア（１１０）を有し、導波路束軸（１１４）に沿って実質的に整列された複数の光導波路（１０４）、（１０６）、（１０８）を含む光導波路束（１０２）と、
それぞれブラッグ反射器（１１８）、（１２０）、（１２２）を含む複数の光導波路であって、前記ブラッグ反射器は、前記導波路束軸を実質的に横切る方向から前記光導波路へ入射する光を、前記長手方向コアに伝播モードで結合するように構成される、前記複数の光導波路と、
前記長手方向コアに伝導される光を検出するように構成された光検出器（１２６）、（１２８）、（１３０）とそれぞれ光通信する複数の長手方向コアとを備える装置。
【請求項２】
複数のブラッグ反射器は、前記導波路束軸を実質的に横切る異なる方向から入射する光を結合するように構成される請求項１に記載の装置。
【請求項３】
光導波路束は、前記光導波路間に挿入された導波路束コア（１１６）によって整列して保持された複数の光導波路を含む請求項１に記載の装置。
【請求項４】
プロセスであって、
それぞれ光を伝導するように構成された長手方向コアを有する複数の各光導波路と一体にブラッグ反射器を形成するステップと、
導波路束軸に沿って実質的に整列された複数の光導波路を含む光導波路束を形成するステップであって、各ブラッグ反射器は、導波路束軸を実質的に横切る方向から光導波路へ入射する光を、長手方向コアに伝播モードで結合するように構成される、前記光導波路束を形成するステップと、
前記複数の長手方向コアを前記長手方向コアに伝導される光を検出するように構成された光検出器と光通信させるステップとを含むプロセス。
【請求項５】
複数の各光導波路と一体にブラッグ反射器を形成するステップは、前記導波路束軸を実質的に横切る異なる方向から入射する光を結合するように複数のブラッグ反射器を構成するステップを含む請求項４に記載のプロセス。
【請求項６】
光導波路束を形成するステップは、前記光導波路間に挿入された導波路束コアによって整列して保持された複数の光導波路を配置するステップを含む請求項４に記載のプロセス。
【請求項７】
光源方位情報を決定する方法であって、
装置を提供するステップであって、前記装置は、それぞれ光を伝導するように構成された長手方向コアを有し、導波路束軸に沿って実質的に整列された複数の光導波路を含む光導波路束と、それぞれブラッグ反射器を含む複数の光導波路であって、前記ブラッグ反射器は、前記導波路束軸を実質的に横切る方向から前記光導波路へ伝播モードで入射する光を、前記長手方向コアに結合するように構成される、前記複数の光導波路と、光検出データを生成し、前記長手方向コアに伝導される光を検出するように構成された光検出器と光通信する複数の各長手方向コアと、光検出データを光源方位情報に統合するように構成されたプロセッサ１３２とを有する、前記装置を提供するステップと、
検出される光源に露出するために前記光導波路束を配置するステップと、
前記導波路束軸を実質的に横切る方向から光導波路へ入射する光を検出することによって光検出データを生成するステップと、
前記光検出データを光源方位情報に統合するステップとを含む方法。
【請求項８】
装置を提供するステップは、前記導波路束軸を実質的に横切る異なる方向から入射する光を結合するように構成された複数のブラッグ反射器を提供するステップを含む請求項７に記載の方法。
【請求項９】
装置を提供するステップは、前記光導波路間に挿入された導波路束コアによって整列して保持された複数の光導波路を含む光導波路束を提供するステップを含み、かつ選択された波長の光を長手方向コアに伝播モードで結合するようにブラッグ反射器を構成し、かつ前記選択された波長で実質的に光を伝導しないように前記光導波路束コアを構成するステップを含む請求項７に記載の方法。
【請求項１０】
前記プロセッサをブラック反射器方位データでプログラムするステップと、
前記プロセッサに、ブラック反射器方位データおよび光検出データを光源方位情報に統合させるステップとを含む請求項７に記載の方法。
【発明の詳細な説明】
【技術分野】
【０００１】
本発明は、全体的に光源方位検出器に関連する。
【背景技術】
【０００２】
多くのタイプのシステムが、光の検出のために存在する。さらに、光検出器に対する光源の方位を検出するために特に構成されたシステムが存在する。いくつかの光検出システムは、これらのシステムによって得られる光源方位情報の精度を最大化するように設計された複雑で、精密で、かつ繊細な機器を含む。他の光検出システムは、それらの動作のために嵩張り、重く、必要である複雑なサポート・システムであり、容易に持ち運ぶことができない。多くのこれら光検出システムは、システムを、損害から、および光源方位情報を決定する間に移動される、またはそうでなくとも妨げられることから保護するために、一般に十分な注意も必要とする。
【発明の開示】
【発明が解決しようとする課題】
【０００３】
いくつかの状況において、現場環境での光検出器に対する光源の方位の決定は、必要であり得る。そのような環境において、光源方位情報の決定の間の外部環境力からシステムを隔離する、または衝撃、磨耗、および破損、ならびに他の危険による損傷からシステムを保護するための光検出システムについての管理の実験室基準は、現実的ではないことがある。したがって、環境に対する実験室制御が現実的ではない状況の下で、光源方位情報を決定するように構成された装置に対する継続する必要性がある。
【課題を解決するための手段】
【０００４】
ある実施例において、それぞれ光を伝導するように構成された長手方向コアを有し、導波路束軸に沿って実質的に整列された複数の光導波路を含む光導波路束と、それぞれブラッグ反射器を含む複数の光導波路であって、ブラッグ反射器は、導波路束軸を実質的に横切る方向から光導波路へ入射する光を、長手方向コアに伝播モードで結合するように構成される、複数の光導波路と、長手方向コアに伝導される光を検出するように構成された光検出器とそれぞれ光通信する複数の長手方向コアとを含む装置が提供される。
【０００５】
他の例において、それぞれ光を伝導するように構成された長手方向コアを有する複数の各光導波路と一体にブラッグ反射器を形成するステップと、導波路束軸に沿って実質的に整列された複数の光導波路を含む光導波路束を形成するステップであって、各ブラッグ反射器は、導波路束軸を実質的に横切る方向から光導波路へ入射する光を、長手方向コアに伝播モードで結合するように構成される、光導波路束を形成するステップと、複数の長手方向コアを長手方向コアに伝導される光を検出するように構成された光検出器と光通信させるステップとを含むプロセスが提供される。
【０００６】
さらなる実施として、装置を提供するステップであって、装置は、それぞれ光を伝導するように構成された長手方向コアを有し、導波路束軸に沿って実質的に整列された複数の光導波路を含む光導波路束と、それぞれブラッグ反射器を含む複数の光導波路であって、ブラッグ反射器は、導波路束軸を実質的に横切る方向から光導波路へ入射する光を、長手方向コアに伝播モードで結合するように構成される、複数の光導波路と、光検出データを生成し、長手方向コアに伝導される光を検出するように構成された光検出器と光通信する複数の各長手方向コアと、光検出データを光源方位情報に統合するように構成されたプロセッサとを有する、装置を提供するステップと、検出される光源に露出するために光導波路束を配置するステップと、導波路束軸を実質的に横切る方向から光導波路へ入射する光から光検出データを生成するステップと、光検出データを光源方位情報に統合するステップとを含む、光源方位情報を決定する方法が提供される。
【０００７】
本発明の他のシステム、方法、特徴、および利点は、以下の図面および詳細な記載を検討するとき当業者には明らかであり、または明らかになる。全てのそのような追加のシステム、方法、特徴、および利点は、本記載内に含まれ、本発明の範囲内であり、かつ添付の請求項によって保護されることが意図される。
【０００８】
本発明は、以下の図面を参照してより良好に理解されることができる。図面における構成部品は、必ずしも同一縮尺ではなく、本発明の原理を示すとき代わりに強調される。さらに図面において、同様の参照符号は、異なる図面を通して対応する部品を示す。
【発明を実施するための最良の形態】
【０００９】
図１は、光ファイバ束１０２を含む光源方位検出器１００を示す斜視図である。図２は、図１の光源方位検出器１００からの光ファイバ束１０２を示す線２−２で取られた断面図である。
【００１０】
光ファイバ束１０２は、例として３本の光ファイバ１０４、１０６、および１０８を含むことができる。ある実施において、各光ファイバ１０４〜１０８は、長手方向コア１１０を含むことができる。他の例として、各長手方向コア１１０は、クラッド１１２によって囲まれることができる。例として、各光ファイバ１０４〜１０８は、長手方向コア１１０、および存在するならクラッド１１２上にかつそれを囲む保護ジャケット（図示せず）をさらに含むことができる。光ファイバ１０４〜１０８は、導波路束軸１１４に周囲で離間され、かつ導波路束軸１１４に沿って実質的に整列されることができる。本明細書を通じて使用されるとき、「導波路束軸に沿って実質的に整列される」とは、各光ファイバ１０４〜１０８が、導波路束軸と実質的に平行に向けられることができるか、または光ファイバ１０４〜１０８が、らせん（図示せず）を形成することができることを意味することが理解される。例として、導波路束コア１１６（図２には示されるが、図１からは削除される）は、光ファイバ１０４〜１０８間に挿入されることができ、光ファイバを離間された整列状態に保持する。
【００１１】
ある実施において、光ファイバ１０４、１０６、および１０８は、それぞれブラッグ反射器１１８、１２０、および１２２を含むことができる。例として、ブラッグ反射器１１８〜１２２は、光ファイバ１０４〜１０８の長手方向コア１１０内に形成されることができる。他の実施において、ブラッグ反射器１１８〜１２２は、長手方向コア１１０内にまたはクラッド１１２内に、あるいはそれら両方内に、矢印１２４に沿って選択された位置に光ファイバ１０４〜１０８の導波路束軸１１４の周囲に実質的に均一な間隔で形成されることができる。
【００１２】
光ファイバ束１０２に加えて、光源方位検出器１００は、光検出器１２６、１２８、および１３０を含むことができる。光検出器１２６、１２８、および１３０は、それぞれ光ファイバ１０４、１０６、および１０８の長手方向コア１１０と光通信する。ある実施において、光検出器１２６〜１３０は、例として半導体フォトダイオードなどのフォトダイオードであり得る。他の実施において、光検出器１２６、１２８、および１３０の１つは、光ファイバ１０４〜１０８の１つ以上の長手方向コアと光通信することができ、かつ光ファイバからの光検出データを生成し、かつ光検出データ間を区別するように構成されることができる。光源方位検出器１００は、光検出器１２６、１２８、および１３０から光検出データを受けるように構成され、かつそのようなデータを光源方位情報に統合するようにプログラムされたプロセッサ１３２をさらに含むことができる。実施として、プロセッサ１３２は、光源方位情報をエンドユース・システム１３４に通信するように構成されることができる。例において、エンドユース・システム１３４は、光源方位検出器１００の一部ではないことができる。他の実施として、エンドユース・システム１３４は、光源方位検出器１００の一体部分を構成することができる。
【００１３】
光源方位検出器１００の動作の例において、光源方位情報が、光源方位検出器１００によって生成されることができるように、光ファイバ束１０２は、１つ以上のブラッグ反射器１１８、１２０、および１２２を外部光源に露出するように選択された位置に配置されることができる。例として、外部光源（図示せず）は、矢印１４４および１４６によって規定される実質的な横断面１４２内の異なる方向から、光ファイバ束１０２に向かう、それぞれ導波路束軸１１４と交差する矢印１３６、１３８、または１４０の１つの概略方向に、選択された波長または波長範囲で光を向けることができる。さらなる例として、光ファイバ１０４、１０６、および１０８は、それぞれ線１４８、１５０、および１５２上で実質的な横断面１４２を交差することができる。ある実施において、各ブラッグ反射器１１８、１２０、および１２２は、光ファイバ１０４、１０６、および１０８の長手方向コア１１０内の伝播モードに結合するために、実質的な横断面１４２に向けられた選択された波長または波長範囲で光を建設的に反射するように構成されることができる。例として、光は、そのように矢印１５４によって示されるように両方向に長手方向コア１１０に結合されることができる。矢印１５８の方向に光ファイバの上方端部１５６に、任意の光ファイバ１０４、１０６、および１０８内にそのように伝播する光は、次にそれぞれ光検出器１２６、１２８、および１３０によって検出されることができる。光ファイバ１０４〜１０８の下方端部１６０は、それぞれ光検出器１２６、１２８、および１３０と、または他の光検出器（図示せず）と同様に光通信されることができる。光検出器１２６、１２８、および１３０は、光源方位情報に統合するためにプロセッサ１３２に光検出データを出力することができる。プロセッサ１３２は、次に情報を使用するように構成されるエンドユース・システム１３４に光源方位情報を通信することができる。
【００１４】
図２を参照すると、導波路束コア１１６は、ある実施において、ブラッグ反射器１１８、１２０、および１２２について選択された波長または波長範囲で光を吸収または反射し、かつ実質的に伝導しない構成物を含むことができる。本明細書を通じて使用されるとき、用語「実質的に伝導しない」は、構成物の本体に向けられた選択された波長または波長範囲で光強度の５０％より多くが、構成物の本体を通して伝導されないことを意味する。例として、ブラッグ反射器１１８は、矢印１３６の方向に光を受けることができるが、導波路束コア１１６は、矢印１３８および１４０の方向に光をブラッグ反射器１１８によって受けることを妨げることができる。他の実施において、ブラッグ反射器１２０は、矢印１３８の方向に光を受けることができるが、導波路束コア１１６は、矢印１３６および１４０の方向に光をブラッグ反射器１２０によって受けることを妨げることができる。さらなる例として、ブラッグ反射器１２２は、矢印１４０の方向に光を受けることができるが、導波路束コア１１６は、矢印１３６および１３８の方向に光をブラッグ反射器１２２によって受けることを妨げることができる。導波路束コア１１６が、構成物の本体に向けられた選択された波長または波長範囲で光強度の５０％以上を伝導する構成物から形成されていても、光源方位検出器１００が機能することができるように、光検出器１２６、１２８、および１３０が、十分な光感度を有するように選択されることが理解される。導波路束コア１１６内で選択された波長または波長範囲で光を実質的に伝導しない構成物を含むことは、光源方位情報の決定において精度を増大することを容易にすることができることが同様に理解される。
【００１５】
光ファイバ束１０２内のブラッグ反射器１１８、１２０、および１２２は、それぞれ矢印１３６、１３８、および１４０の方向で光を受けることができ、かつそれぞれ光ファイバ１０４、１０６、および１０８の長手方向コア１１０を通る矢印１５４の方向に伝播モードで結合されるように、そのように受けられた光を反射することができる。それぞれ矢印１３６、１３８、および１４０は、矢印１５４および導波路束軸１１４に垂直であり得る矢印１４４および１４６によって規定される実質的な横断面１４２内にある。矢印１４４、１４６、および１５４は、光源方位情報の三次元座標のためのｘ、ｙ、およびｚ軸を構成することを考慮することができる。光検出器１２６、１２８、および１３０によって生成される光検出データは、例として、実質的な横断面１４２内の方向に向けられた光源に関するｘおよびｙ軸光源方位情報を決定するために有効であり得る。しかしながら、実質的な横断面１４２内の方向に向けられていない光源からの光は、光ファイバ１０４〜１０８の長手方向コア１１０内に伝播モードでブラッグ反射器１１８〜１２２によって反射されることができない。したがって、光源方位検出器１００は、実質的な横断面１４２内の方向に向けられていない光源に関するｚ軸光源方位情報を生成するには有効でないことがある。例として、導波路束軸１１４に平行ではない方向に向けられた導波路束軸１６２を有し、かつ追加の光検出器（図示せず）と光通信する第２の光ファイバ束（図示せず）は、光源方位検出器１００内に含まれることができる。導波路束軸１１４上の第１の光ファイバ束１０２の導波路束軸１６２上の第２の光ファイバ束（図示せず）と平行でない整列は、光源方位検出器１００が、任意の方位から光ファイバ束へ向かう光を放出する光源に関する三次元座標のｘ、ｙ、およびｚ軸光源方位情報を決定することを可能にすることができる。
【００１６】
ある実施において、ブラッグ反射器１１８〜１２２は、光ファイバ１０４、１０６、および１０８の構造内のブラッグ格子であり得る。ブラッグ格子の形態のブラッグ反射器１１８〜１２２は、長手方向コア１１０内にまたはクラッド１１２内に、あるいはそれら両方内に、光ファイバ１０４〜１０８の長手方向軸１１４の周囲に配置されることができる。例として、ブラッグ格子は、構造の直に囲む領域の屈折率より高い屈折率を有する光ファイバ構造内に、平行でありかつ周期的に離間されたディスク形状領域のスタックを含むことができる。例としてブラッグ反射器１２０を参照すると、スタックは、ある実施において、光ファイバ１０４、１０６、および１０８の長手方向軸１６４を実質的に横切るそれぞれディスク形状領域とともに向けられることができる。ある実施において、周期的な離間距離は、実質的に均一であり得る。屈折率変化は、ブラッグ効果によって格子を通過する光を散乱しかつ選択的に反射することができる。周期的な離間距離「ｎ」に等しいまたは倍数である選択された波長を有する光は、次に光波が建設的に干渉しかつ反射されるように同位相で散乱されることができる。例として、選択された波長は、１ｎ、２ｎ、３ｎ・・・などから選択された周期的な離間距離の倍数に実質的に等しいことができる。矢印１３６の方向にブラッグ反射器１２０に入る選択された波長での光が、矢印１５４の方向に光ファイバ１０６の長手方向コア１１０内を伝播するように反射されることができるように、ディスク形状領域の方位は、選択されることができる。この反射の強度は、例として、周期的な離間距離の均一性、スタック内のディスク形状領域の数、および構造の囲む領域の屈折率と比べたディスク形状領域の屈折率間の差異によって影響されることがある。比較的均一な周期的な離間距離、比較的均一なディスク形状領域寸法、およびスタック内の比較的より多いディスク形状領域を有するブラッグ格子は、ディスク形状領域間の距離に等しい選択された波長で比較的より大きな強度で建設的に光を反射することができる。さらに、構造の囲む領域の屈折率と比べたディスク形状領域の屈折率間の比較的より大きな差異を有するブラッグ格子は、比較的より大きな強度で建設的に光を反射することができる。
【００１７】
例として、ブラッグ反射器１２０内の周期的な離間距離は、完全に均一でないことができる。この例において、矢印１３６の方向にブラッグ反射器１２０に入る波長の帯域内の波長での光が、建設的に妨げることができ、かつ矢印１５４の方向に光ファイバ１０６の長手方向コア１１０内を伝播するように反射されることができる。ある実施において、波長帯域は、対応する波長の範囲に等しい距離の範囲で周期的に離間されたディスク形状領域のスタックを有するブラッグ反射器１２０を形成することによって、光ファイバ１０６の長手方向コア１１０内に伝播するように選択されることができる。例として、そのようなブラッグ反射器１２０は、選択された波長の上および下の範囲内の波長で漸次低減する反射強度の反射波長範囲内で、選択された波長のピーク反射強度を有することができる。ある実施において、ブラッグ反射器１２０は、約０．５ナノメートル以下に及ぶ波長の狭い範囲にわたって検出可能な反射強度を有することができる。他の例として、ブラッグ反射器１２０は、最大約３ナノメートルに及ぶ波長の広い範囲にわたって検出可能な反射強度を有することができる。
【００１８】
ある実施において、波長帯域は、検出されるべき波長の対応する範囲に等しい距離の範囲で周期的に離間されたディスク形状領域のスタックを有するブラッグ反射器を形成することによって、ブラッグ反射器１２０について選択されることができる。例として、光源は、どの光源方位情報が決定されるべきかに関して選択されることができる。光源の動作波長範囲は、同定されることができ、ブラッグ反射器は、次に光源の動作波長範囲に等しい距離の範囲で周期的に離間されたディスク形状領域のスタックを有して形成されることができる。ある実施において、光源は、レーザ波長またはレーザ波長帯域内で動作するレーザ光源であり得る。そのようなレーザ光源は、例として発射された兵器を送るための目標をマークするために利用されることができ、または光通信信号を送信するために利用されることができる。ブラッグ反射器１２０を含む光源方位検出器１００は、矢印１３６の方向で受けられた選択された波長または波長範囲で光を検出することができる。ある実施において、太陽光、月光、または街灯、閃光、または室内照明などの他の光源からの光などの背景光は、光源方位検出器１００によって検出されることができない。なぜなら、これらの光源は、矢印１３６の方向で選択された波長または波長範囲で検出可能な強度の光を向けることができないからである。
【００１９】
他の例として、光源方位検出器は、導波路束軸１１４に平行ではない軸に向けられた第２の光ファイバ束を含むことができる。ブラッグ反射器１１８、１２０、および１２２は、それぞれ同一の選択された距離または同一の選択された距離の範囲で周期的に離間されたディスク形状領域のスタックを含むことができる。この例において、それぞれ矢印１３６、１３８、および１４０の方向にブラッグ反射器１１８、１２０、および１２２に入る同一の波長または同一の波長範囲での光は、建設的に妨げることができ、矢印１５４の方向でそれぞれ光ファイバ１０４、１０６、および１０８の長手方向コア１１０に伝播するように反射されることができる。さらなる実施として、導波路束軸１６２上に向けられた第２の光ファイバ束（図示せず）内のブラッグ反射器（図示せず）は、同様にそれぞれ同一の選択された距離または同一の選択された距離の範囲で周期的に離間されたディスク形状領域のスタックを含むことができる。この実施において、選択された波長または選択された波長範囲内での光は、また第２の光ファイバ束のブラッグ反射器に入ることができ、矢印１４４、１４６、および１５４の方向の三次元光源方位情報が、光源方位検出器１００によって生成されることができる。
【００２０】
さらなる例として、１本以上の光ファイバ１０４、１０６、および１０８は、導波路束軸１１４の方向に互いから１つ以上の選択された断続する距離で離間された複数のブラッグ反射器（図示せず）を含むことができ、いずれか１本の光ファイバ内の複数の各ブラッグ反射器は、同一の選択された距離または同一の選択された距離の範囲で周期的に離間されたディスク形状領域のスタックを含む。結果として、複数の各ブラッグ反射器は、矢印１５４の方向で光ファイバ１０４、１０６、および１０８の長手方向コア１１０に、同一の波長または同一の波長範囲内で光を伝播する。この伝播波長均一性なしに、光ファイバ１０４、１０６、または１０８内のブラッグ反射器は、互いによって伝播される光の伝導を妨げることができる。この態様で伝播波長均一性を有する複数のブラッグ反射器を含む光ファイバ１０４、１０６、または１０８は、任意の一つのブラッグ反射器によって通信されるものより、より強い光をそれぞれ光検出器１２６、１２８および１３０へ通信することができる。さらに、実質的な横断面１４２と平行な１つ以上の面（図示せず）内に向けられた源からの光は、１本以上の光ファイバ１０４、１０６、および１０８の離間された複数のブラッグ反射器の１つ内に入りかつ伝播されることができる。さらに、断続するブラッグ反射器を有効に形成するために、光ファイバ１０４、１０６、または１０８上に選択された距離で互いに離間された複数のブラッグ反射器を形成することは、複数の全てのブラッグ反射器間で導波路束軸１１４に沿って全体の距離に及ぶ単一のブラッグ反射器を形成することより少ないリソースを必要とすることができる。選択される距離は、検出されるべき選択された波長の光に少なくとも等しい。他の実施において、光ファイバ１０４、１０６、または１０８上の複数のブラッグ反射器は、光源方位検出器１００が光源方位情報を決定することができる矢印１５４によって示されるｙ軸にわたる距離を増大するために、長手方向コア１１０に沿った最大距離に及ぶことができる。
【００２１】
他の実施において、光源方位検出器１００は、導波路束軸１１４および１６２に関して上述された同じ態様で、２つの異なる方向に向けられた導波路束軸を有する２つの追加の光ファイバ束（図示せず）を含むことができ、これら２つの追加の光ファイバ束は、第２の選択された距離または第２の選択された距離の範囲で周期的に離間されたディスク形状領域のスタックを含むブラッグ反射器をそれぞれ有する。この実施において、光源方位検出器１００は、２つの異なる波長を有するまたは２つの異なる波長範囲を有する光源に関する光源方位情報を生成することができる。
【００２２】
ある実施において、光源方位検出器１００は、ブレーズドブラッグ格子の形態のブラッグ反射器１２０を含むことができる。例として、ブレーズド・ブラッグ格子の形態のブラッグ反射器１２０は、選択された波長または選択された波長範囲の光が、格子で建設的に妨げられ、実質的な横断面１４２に向けられていない光源から、矢印１５４の方向に光ファイバ１０６の長手方向コア１１０に伝播することができるように選択されることができる。ある実施において、光源方位検出器１００は、またブレーズド・ブラッグ格子の形態のブラッグ反射器１１８および１２２を含むことができる。他の例として、選択された波長または選択された波長範囲の光が、実質的な横断面１４２内のブレーズド・ブラッグ格子に入り、建設的に妨げ、かつ導波路束軸１６２の方向に光ファイバ束の光ファイバ（図示せず）の長手方向コア内に伝播するように反射されることができるように、ブレーズド・ブラッグ格子は、選択されかつ導波路束軸１６２を有する光ファイバ束（図示せず）に含まれることができる。ある実施において、ブレーズド・ブラッグ格子の形態のブラッグ反射器１２０は、アンブレーズド格子として、構造を直に囲む領域の屈折率より高い屈折率を有する光ファイバ構造内に平行で周期的に離間されたディスク形状領域のスタックを含むことができる。さらにこの実施において、各ディスク形状領域は、導波路束軸に垂直に向けられてない平坦な表面を含むことができる。
【００２３】
さらなる例として、ブラッグ反射器１２０は、構造を直に囲む領域の屈折率より高い屈折率を有する光ファイバ構造内に平行で周期的に離間されたディスク形状領域のスタックを含むことができる。ディスク形状領域と囲む領域との屈折率間の比較的小さいコントラストは、ブラッグ反射器１２０内の比較的より大きな波長帯域を結果として生じる。他の実施において、ブラッグ反射器１２０は、埋め込まれ、エッチングされ、または他の方法で光ファイバ１０６内に形成されることができる任意のタイプの波長調整可能な格子であり得る。
【００２４】
ある実施において、光ファイバ１０４、１０６、および１０８は、長手方向コア１１０を含む任意のタイプの光ファイバであることができ、長手方向コアを通って矢印１５４の方向に光を伝播することができる。例として、シングル・モードまたはマルチ・モード光ファイバが使用されることができる。他の実施において、光ファイバ１０４、１０６、および１０８は、無機または有機構成物またはそれら両方で形成されることができる。例として、光ファイバ１０４、１０６、および１０８は、クラッド１１２で囲まれた長手方向コア１１０間の屈折率勾配を規定するために、適切にドープされた二酸化ケイ素をベースとする構成物で形成されることができる。他の例において、クラッドは省略されることができる。他の実施において、光ファイバ１０４、１０６、および１０８は、そのような屈折率勾配を規定するポリマー構成物で形成されることができる。
【００２５】
ある実施において、光ファイバ１０４、１０６、および１０８は、矢印１３６、１３８、および１４０の方向に比較的大きな直径を有する長手方向コア１１０を含むように選択されることができる。例として、そのような光ファイバ１０４、１０６、および１０８は、比較的高い強度で矢印１５４の方向に光を伝播することができる。ある実施において、矢印１３６、１３８、および１４０の方向に約１２５ミクロンメートルと約０．３ミリメートルとの間の範囲内の全体直径を有する光ファイバ１０４、１０６、および１０８が使用されることができる。光ファイバ１０４、１０６、および１０８の長手方向コア１１０およびクラッド１１２は、円形断面を有して図２に示されるが、他の断面形状を有する光ファイバが使用されることができることは理解される、例（図示せず）において、光ファイバ１０４、１０６、および１０８は、「Ｄ」形状断面を有することができる。
【００２６】
図１は、３本の光ファイバ１０４、１０６、および１０８を含む光ファイバ束１０２を示す。光ファイバ束１０２は、３本より多いまたは少ない光ファイバを含むことができる（図示せず）ことが理解される。例として、光ファイバ束１０２は、２本、４本、５本、または６本の光ファイバを含むことができる。光ファイバ束１０２が３本の光ファイバ１０４、１０６、および１０８を含む実施において、光ファイバは、矢印１６６によって示されるように、導波路束軸１１４の周囲に約１２０度（１２０°）の径方向角度に向けられることができる。他の例（図示せず）として、５本の光ファイバは、導波路束軸１１４の周囲に約７２°の径方向角度に相互に向けられることができる。例として、光源方位検出器１００は、それぞれ光ファイバ１０４および１０６、光ファイバ１０６および１０８、ならびに光ファイバ１０４および１０８を含む３つの光ファイバ束を含むことができる。３つの光ファイバ束によって集合的に生成される光検出データは、光検出器１２６〜１３０に通信されることができ、かつプロセッサ１３２によって光源方位情報に統合されることができる。
【００２７】
導波路束コア１１６は、ブラッグ反射器１１８〜１２２について選択された波長または選択された波長範囲の光を吸収する束コア構成物を含むことができる。上述のようにこの実施において、外部源からの光は、したがって、導波路束軸１１４を実質的に横切る異なる方向の限定された範囲からだけ各ブラッグ反射器１１８〜１２２に到達するように制約されることができる。例として、束コア構成物は、ポリマー化可能な材料に分散された選択された波長または選択された波長範囲の光を吸収する染料を含むことができる。ある実施において、ポリマー化可能な材料は、グルー構成物であり得る。さらなる例として、ポリマー化可能な材料は、矢印１３６、１３８、および１４０の方向に、導波路束軸１１４に沿って光ファイバ束１０２の変位に関して選択された剛性および可撓性を有する導波路束コア１１６を形成することができる。
【００２８】
ある実施において、光検出器１２６〜１３０は、光ファイバ１０４〜１０８のそれぞれ上方端部１５６および下方端部１６０から放出された光を受け、かつ光を解析するように構成された光検出器であり得る。例として、光検出器１２６〜１３０は、光ファイバ１０４〜１０８の上方端部１５６および下方端部１６０から放出された光の強度を測定し、かつ光検出データとして強度測定値を出力するように構成されることができる。ある実施において、光検出器１２６〜１３０は、半導体フォトダイオードであることができる。例として、光検出器１２６〜１３０は、光強度測定値を電子光検出データに変換することができる。
【００２９】
ある実施において、プロセッサ１３２は、光検出器１２６〜１３０から光検出データを受けるように構成されることができる。例において、プロセッサ１３２は、それぞれ光ファイバ１０４、１０６、および１０８から受けた光の強度を比較するために、光検出データを使用することができる。プロセッサ１３２は、例として、矢印１４４、１４６、および１５４に対するブラッグ反射器１１８〜１２２の方位に関するブラッグ反射器方位データを得るようにも構成されることができる。プロセッサ１３２は、例として、導波路束軸１６２上など他の導波路束軸上の任意の追加の光ファイバ束に対する、導波路束軸１１４上の光ファイバ束１０２の方位に関するブラッグ反射器方位データを得るようにさらに構成されることができる。プロセッサ１３２は、光源方位情報の計算において、光検出データとブラッグ反射器方位データとを組み合わせるようにさらに構成されることができる。他の例として、プロセッサ１３２は、光源方位検出器１００の位置に関する全世界位置衛星データなどの衛星位置システム（「ＳＰＳ」）を受け、かつ光源方位データの計算においてそのようなデータを含むように構成されることができる。プロセッサ１３２は、光源方位検出器１００の一体部分を形成することができ、または別個に配置されることができることが理解される。エンドユース・システム１３４は、光源方位検出器１００の一体部分であることができ、または別個に配置されることができることがさらに理解される。例として、エンドユース・システム１３４は、攻撃的なおよび防御的な兵器を制御するために光源方位情報を使用するように構成されることができる。
【００３０】
図３は、光ファイバ束に含まれることができるプリズム列３０２の形態のブラッグ反射器を有する、光ファイバ３００を示す斜視図である。図４は、図３の光ファイバ３００を示す線４−４で取られた断面図である。光ファイバ３００は、長手方向コア３０４を含むことができる。ある実施において、長手方向コア３０４は、クラッド３０６によって囲まれることができる。例として、プリズム列は、光ファイバ３００の長手方向軸３２０の方向に長手方向コア３０４を通して伝播するように、選択された波長または選択された波長範囲内の光を屈折するように構成された平行なプリズム３０８、３１０、３１２、３１４、３１６、および３１８の列を含むことができる。例として、プリズム３０８〜３１８は、長手方向軸３２０に対して４５度の角度に向けられた表面を含むことができる。列は、ある実施において、各プリズムが長手方向軸３２０を実質的に横切って配置されて図３に示されるように向けられることができる。プリズム３０８〜３１８は、例として、光ファイバ３００の長手方向外部３２２に配置されることができる。ある実施において、プリズム３０８〜３１８は、実質的に均一な離間距離だけ分離されることができる。選択された波長を有しまたは選択された波長範囲内の光は、光波が建設的に妨げられかつ反射されるように、プリズム３０８〜３１８を通して同位相で屈折されることができる。矢印３２４の方向にプリズム列３０２に入る選択された波長または選択された波長範囲内の光が、長手方向軸３２０の方向に光ファイバ３００の長手方向コア３０４内に伝播するように反射されることができるように、プリズムの方位は、選択されることができる。ある実施において、光ファイバ３００は、上記で議論されかつ図１および図２に示される１本以上の光ファイバ１０４、１０６、および１０８で置き換えられることができる。プリズム列３０２に含まれるプリズムの数が、変更されることができることは理解される。プリズム列は、選択的な光反射およびアレイを通る反射された光の伝導が、光ファイバ３００の長手方向コア３０４内の伝播を可能にする他のタイプの周期的なアレイと置き換えられ得ることが理解される。例として、フォトニック結晶が使用されることができる。さらなる実施として、光源方位検出器１００は、それぞれ格子、プリズム列、格子とプリズム列との組み合わせ、または光導波路コア内に伝播モードで光を選択的に反射、屈折、または散乱することができる表面を含む他の構造の形態の１つ以上のブラッグ反射器を有する光導波路（図示せず）を含むことができる。
【００３１】
図５は、光源方位検出器１００に含まれることができるプレーナ導波路束５００を示す斜視図である。図６は、図５のプレーナ導波路束５００を示す線６−６で取られた断面図である。ある実施において、プレーナ導波路束５００は、光源方位検出器１００において、光ファイバ束１０２、および導波路束軸１６２上に向けられた光ファイバ束などの任意の追加の光ファイバ束（図示せず）と置き換えられることができる。本明細書を通じて使用されるとき、用語「光導波路」は、光ファイバ、プレーナ導波路、および光を伝導するための導波路を形成するために屈折率勾配を用いる任意の他の構造を含む。本明細書を通じて使用されるとき、用語「光導波路束」は、光ファイバ束、プレーナ導波路束、および任意の他のそのような構造で形成された束を含む。
【００３２】
プレーナ導波路束５００は、例として、４つのプレーナ導波路５０２、５０４、５０６、および５０８を含むことができる。ある実施において、各プレーナ導波路５０２〜５０８は、長手方向コア５１０を含むことができる。例として、長手方向コア５１０は、クラッド５１２で囲まれることができる。プレーナ導波路５０２〜５０８は、離間され、かつ導波路束軸５１４の周囲に沿って実質的に整列されることができる。例として、導波路束コア５１６（図６に示されるが図５からは省略される）は、プレーナ導波路５０２〜５０８間に挿入されることができ、そのように離間された整列でプレーナ導波路を保持する。
【００３３】
ある実施において、プレーナ導波路５０２、５０４、５０６、および５０８は、それぞれブラッグ反射器５１８、５２０、５２２、および５２４を含むことができる。例として、ブラッグ反射器５１８〜５２４は、プレーナ導波路５０２〜５０８の長手方向コア５１０内に形成されることができる。さらなる例として、各ブラッグ反射器５１８、５２０、５２２、および５２４は、構造を直に囲む領域の屈折率より高い屈折率を有するプレーナ導波路構造内に平行で周期的に離間されたディスク形状領域のスタックを含むことができる。他の実施において、ブラッグ反射器５１８〜５２４は、矢印５２６に沿って選択された位置で、長手方向コア５１０内、またはクラッド５１２内、またはそれら両方内の選択された位置に形成されることができる。図６を参照すると、導波路束コア５１６は、ある実施において、ブラッグ反射器５１８〜５２４について選択された波長または波長範囲で光を吸収する構成物を含むことができる。
【００３４】
ある実施において、プレーナ導波路５０２、５０４、５０６、および５０８の長手方向コアは、図１および図２に関連して議論された同じ態様で、それぞれ光検出器１２６、１２８、１３０、および追加の光検出器（図示せず）と光通信することができる。光検出器１２６、１２８、１３０、および追加の光検出器（図示せず）は、例として、図１および図２に関連して上記で議論された同じ態様でプロセッサ１３２と通信することができる。
【００３５】
プレーナ導波路束５００を含む光源方位検出器１００の動作の例において、光源方位情報が光源方位検出器１００によって生成されることができるように、プレーナ導波路束は、１つ以上のブラッグ反射器５１８〜５２４を外部光源に露出するために選択された位置に配置されることができる。例として、外部光源（図示せず）は、プレーナ導波路束５００に向かって、矢印５３０および５３２によって規定される実質的な横断面１４２内の矢印５２８の全体方向で、選択された波長または選択された波長範囲の光を向けることができる。ある実施において、各ブラッグ反射器５１８〜５２４は、プレーナ導波路５０２〜５０８の長手方向コア５１０内の伝播モードに結合するために、実質的な横断面１４２に向けられた選択された波長または選択された波長範囲の光を建設的に反射するように構成されることができる。例として、光は、導波路束軸５１４の両方向に長手方向コア５１０にそのように結合されることができる。プレーナ導波路５０２〜５０８の下方端部は、それぞれ光検出器１２６、１２８、１３０、および追加の光検出器（図示せず）、または他の光検出器（図示せず）と同様に光通信することができる。
【００３６】
ある実施において、ブラッグ反射器５１８〜５２４は、プレーナ導波路５０２、５０４、５０６、および５０８の構造内のブラッグ格子であり得る。ブラッグ格子の形態のブラッグ反射器５１８〜５２４は、長手方向コア５１０内、またはクラッド５１２内、またはそれら両方内のプレーナ導波路５０２〜５０８内に配置されることができる。構造、方位、周期的な離間距離、波長選択性、強度、プレーナ導波路束５００と同じ方向または異なる方向に向けられた追加のプレーナ導波路束上にブラッグ格子を含むこと、断続するブラッグ格子を含むこと、ブレーズド格子を含むことに関する実施の図１および図２に関連する上記議論、および上記で議論されたブラッグ反射器１１８〜１２２の選択および動作における他の想定される変形も、ブラッグ反射器５１８〜５２４に完全に適用可能である。
【００３７】
さらなる例として、ブラッグ反射器５１８は、構造を直に囲む領域の屈折率より高い屈折率を有するプレーナ導波路構造内に平行で周期的に離間されたディスク形状領域のスタックを含むことができる。ディスク形状領域および囲む領域の屈折率間のより小さいコントラストが、ブラッグ反射器５１８内の比較的より大きな波長帯域を結果として生じる。他の実施において、ブラッグ反射器５１８は、埋め込まれ、エッチングされ、インプリントされ、またはプレーナ導波路５０２内に他の方法で形成されることができる任意のタイプの波長調整可能な格子であり得る。
【００３８】
ある実施において、プレーナ導波路５０２〜５０８は、長手方向コア５１０を含む任意のタイプのプレーナ導波路であることができ、かつ長手方向コアを通る導波路束軸５１４の方向に光を伝播することができる。例として、プレーナ導波路５０２〜５０８は、無機または有機構成物で、またはそれら両方で形成されることができる。例として、プレーナ導波路５０２〜５０８は、クラッド５１２によって囲まれる長手方向コア５１０間の屈折率勾配を規定するように適切にドープされ二酸化ケイ素をベースとする構成物で形成されることができる。他の実施において、プレーナ導波路５０２〜５０８は、そのような屈折率勾配を規定するポリマー構成物で形成されることができる。ある実施において、プレーナ導波路５０２〜５０８は、線６−６で取られた比較的大きな断面積を有する長手方向コア５１０を含むように選択されることができる。
【００３９】
図５は、４つのプレーナ導波路５０２、５０４、５０６、および５０８を含むプレーナ導波路束５００を示す。プレーナ導波路束５００は、４つより多いまたは少ないプレーナ導波路を含むことができるが理解される（図示せず）。例として、プレーナ導波路束５００は、２つ、３つ、５つ、または６つのプレーナ導波路を含むことができる。プレーナ導波路束５００が、４つのプレーナ導波路５０２、５０４、５０６、および５０８を含む実施において、プレーナ導波路は、導波路束軸５１４の周囲に約９０°の径方向角度で相互に向けられることができる。
【００４０】
導波路束コア５１６は、光ファイバ束１０２に関して上記で議論された同じ態様で、ブラッグ反射器５１８〜５２４について選択された波長または選択された波長範囲で光を吸収する束コア構成物を含むことができる。
【００４１】
図７は、図１に示される光源方位検出器１００に含まれることができる光導波路グリッド７００の一部を示す上面図である。例として、光導波路束グリッド７００は、光ファイバ束７０２、７０４、７０６、７０８、７１０、および７１２を含むことができる。ある実施において、各光ファイバ束７０２〜７１２は、前述された光ファイバ束１０２の構造に類似する構造を有することができ、前述された導波路束コア１１６に類似する導波路束コア（図示せず）をそれぞれ含むことができ、かつ光源方位検出器１００の光ファイバ束１０２に関して上記で議論された同じ態様で、光検出器（図示せず）およびプロセッサ（図示せず）とそれぞれ通信することができる。プレーナ導波路束または他のタイプの光導波路束は、図５および図６に関して上記で議論された同じ態様で、任意のまたは全ての光ファイバ束７０２〜７１２と置き換えられ得ることが理解される。
【００４２】
例として、各光ファイバ束７０２、７０４、および７０６は、矢印７１６の方向に全体的に向けられた複数の光ファイバ７１４を含むことができ、かつ各光ファイバ束７０８、７１０、および７１２は、矢印７１８の方向に全体的に向けられた複数の光ファイバ７１４を含むことができる。ある実施において、矢印７１６および７１８は、垂直であり、グリッド面を規定することができる。例として、光ファイバ束７０２〜７０６は、光導波路束グリッド７００を形成するために、図７に示されるように光ファイバ束７０８〜７１２を織り込まれることができる。さらなる例において、光導波路束グリッド７００は、それぞれ矢印７１６または矢印７１８のいずれかの方向に全体的に向けられ、またはグリッド面内の他の方向に向けられる追加の光ファイバ束（図示せず）を含むことができる。ある実施において、光導波路束グリッド７００は、矢印７１６の方向に全体的に向けられた織物ファイバ７２０、および矢印７１８の方向に全体的に向けられた織物ファイバ７２２を自体に織り込まれることができる。例として、織物ファイバ７２０および７２２は、ファブリックを形成することができる。他の実施において、織物ファイバ７２０および７２２は、天然または合成織物ファイバなどのファブリックを形成するために適切な任意のタイプの織物ファイバであることができる。本明細書を通じて使用されるとき、用語「織物ファイバ」は、任意のファイバ、フィラメント、ヤーン、または任意のタイプのファブリックを形成するのに適している類似物を意味する。例として、光導波路束グリッド７００の指定されたエンドユース適用に適している可撓性および耐久性を有する織物ファイバ７２０および７２２が選択されることができる。
【００４３】
ある実施において、光導波路束グリッド７００は、兵士、法務官士官、または他の人間または動物の兵器目標によって着用される外側ジャケットまたは他の衣服内に含むために適したファブリックを形成するために、織物ファイバ７２０および７２２で織り込まれることができる。例として、光ファイバ束７０８〜７１２は、光ファイバ束１０２に関して議論された同じ態様でかつ図１〜図４に示される光検出器（図示せず）と通信して配置されることができる。ある実施において、光検出器（図示せず）は、光ファイバ７１４の端部から放出される光の強度を測定し、かつ光検出データとして強度測定値を出力するように構成されることができる。例として、光検出器は、光強度測定値を電子光検出データに変換することができる。ある実施において、光検出器およびプロセッサ（図示せず）と統合されるようにジャケットまたは他の衣類内の光導波路束グリッド７００は、外部光源から光導波路束グリッド７００上に向けられたレーザ光を検出することができる。例として、外部光源は、目標を当てるために弾丸などの兵器を誘導するレーザ光を用いて、目標を描くためのレーザ誘導システムであり得る。光源方位検出器１００に関して上記で議論された同じ態様で、光導波路束グリッド７００は、外部光源に関する光源方位情報を決定することができる。光源方位検出器１００に関して議論された同じ態様で、光導波路束グリッド７００と統合されたプロセッサ（図示せず）は、例として、光源方位情報をエンドユース・システム（図示せず）に通信することができる。ある実施において、エンドユース・システムは、兵士、法務官士官、または他の可能性がある兵器目標を、レーザ目標付けされた兵器から防御するように構成されることができる。他の例として、エンドユース・システムは、レーザ光源およびレーザ光源を動作する任意の人員を攻撃するために兵器を制御するように構成されることができる。
【００４４】
例として、光ファイバ束７０２、７０４、７０６、７０８、７１０、および７１２は、それぞれブラッグ反射器７２４、７２６、７２８、７３０、７３２、および７３４を含むことができる。例として、ブラッグ反射器７２４を含む光ファイバ束７０２は、図１〜図４に関して上記で議論された光ファイバ束１０２およびブラッグ反射器１２０と置き換えられることができる。例として、図２に示される導波路束コア１１６などの導波路束コアは、離間された整列で各光ファイバ束７０２〜７１２の光ファイバを保持する光ファイバ７１４間に挿入されることができる。例として、光ファイバ束７０２は、それぞれ図１〜図４に関して上記で議論されたブラッグ反射器１１８および１２２と置き換えられたブラッグ反射器７３６および７３８も含むことができる。ある実施において、光ファイバ束７０４、７０６、７０８、７１０、および７１２は、類似の態様でそれぞれブラッグ反射器７２６、７２８、７３０、７３２、および７３４に加えて、ブラッグ反射器も含むことができる。
【００４５】
構造、方位、構成物、ブラッグ反射器を含むこと、同一または異なる方向に向けられた追加の光ファイバ束上にブラッグ反射器を含むことの実施に関して図１〜図６に関連して光ファイバ束１０２の上記の議論、および上記で議論された光ファイバ束１０２の構造および動作における他の想定される変形は、また光導波路束グリッド７００に完全に適用可能である。さらに、構造、方位、周期的な離間距離、波長選択性、強度、ブラッグ格子を含むこと、断続するブラッグ格子を含むこと、ブレーズド格子を含むこと、および上記で議論されたブラッグ反射器１１８〜１２２の選択および動作における他の想定される変形の実施に関して図１〜図６に関連してブラッグ反射器１１８〜１２２の上記の議論は、光導波路束グリッド７００にも完全に適用可能である。
【００４６】
図８は、図７の光導波路束グリッド７００を含む図１の光源方位検出器１００の実施を形成するためのプロセスの流れ図である。プロセスは、ステップ８０２で開始し、次にステップ８０４で、それぞれ光を伝導するように構成された長手方向コア７４０を有する光ファイバ７１４などの複数の光導波路が、形成されまたは提供されることができる。以下の議論において、図１および図７に示される光ファイバ束１０２および７０２は、それぞれ等価であると考えられ、かつ交換可能に議論される。例として、図１および図２に示される光ファイバ束１０２の光ファイバ１０４、１０６、および１０８に類似する光ファイバは、形成されまたは提供されることができる。プリズム・バーが、ブラッグ反射器７２４〜７３４などのブラッグ反射器の代わりに、図３および図４に関して上記で議論されたようないくつかのまたは全ての光ファイバ７１４上に形成されることができることが理解される。図５および図６に関して上記で議論されたプレーナ導波路５０２〜５０８などの他のタイプの光導波路が、いくつかのまたは全ての光ファイバ７１４に置き換えられることができることがさらに理解される。
【００４７】
ステップ８０６で、ブラッグ反射器７２４〜７３４が、光ファイバ７１４内に形成されることができる。例として、それぞれ光ファイバ１０４、１０６、および１０８内に上記で議論されたように形成された、光ファイバ束１０２内のブラッグ反射器１１８、１２０、および１２２に類似するブラッグ反射器が、形成されることができる。ブラッグ反射器１１８〜１２２は、例として、各光ファイバ１０４〜１０８の長手方向軸１６４に対して選択された態様で整列されることができ、ブラッグ反射器は、長手方向コア１１０に伝播するように、光ファイバ内の選択された波長を有しまたは選択された波長範囲内の光を導入するように構成される。
【００４８】
ある実施において、ブラッグ反射器１１８〜１２２について選択された波長は、光ファイバ１０４〜１０８が形成される構成物の屈折率を考慮することができる。例として、ブラッグ反射器は、ゲルマニウム・ドープされたシリカにおける原子結合を選択的に破壊することによって、ゲルマニウム・ドープされた二酸化ケイ素（ゲルマニウム・ドープされたシリカ）に形成されることができる。ある実施において、ゲルマニウム・ドープされたシリカは、位相マスクを構成するようにパターニングされた開口を有する薄く平らなケイ素のスラブを通して紫外光によって照射されることができる。例として、パルス化紫外レーザは、高い強度で数分間の間、そのような位相マスクを通して光ファイバ１０４〜１０８などのゲルマニウム・ドープされたシリカ光ファイバを照射することができる。紫外光にそのように露光される光ファイバ１０４〜１０８の領域の屈折率は、隣接する露光されていない領域に対して異なって増大するように生じることができる。露出された領域は、異なって増大された屈折率を有するゲルマニウム・ドープされたシリカ内にディスクの選択された三次元格子に対応することができる。他の例として、位相マスク紫外レーザによって照射される前に、水素に露出することによる光ファイバ１０４〜１０８の事前処理は、最大約１％までパターン形成された異なる屈折率増大を結果として生じることができる。
【００４９】
位相マスク間隔は、ブラッグ反射器１１８〜１２２について選択された波長とほぼ同じ距離であるように選択されることができる。追加の例として、位相マスク間隔は、ブラッグ反射器１１８〜１２２について選択された波長範囲とほぼ同じ範囲にわたって変更されるように選択されることができる。他の実施において、使用される位相マスク間隔の計算は、ゲルマニウム・ドープされたシリカの屈折率を考慮することができる。ブラッグ反射器１１８〜１２２によって反射された光の空気内の波長は、ほぼＤのｎ倍に等しく、ここでｎ＝ゲルマニウム・ドープされたシリカの屈折率であり、Ｄ＝ブラッグ反射器内の異なる増大された屈折率を有するディスク間の周期的な離間距離である。例として、周期的な離間距離＝０．５マイクロメートル、およびゲルマニウム・ドープされたシリカの屈折率＝１．４７であるなら、空気を進行する光の選択された波長＝０．５ミクロンの１．４７＝０．７３５ミクロンである。したがって、いったん空気内の光の波長が、光源方位検出器１００による検出のために選択されると、対応する周期的な離間距離および対応する位相マスク間隔が、計算されることができる。他の実施において、使用される位相マスク間隔の計算は、ブラッグ反射器の温度が、それら内の光の屈折率に影響するように、光源方位検出器１００が使用される環境の温度状況を考慮することができる。
【００５０】
ステップ８０８で、光ファイバ束７０２〜７１２の形態であることができる複数の光導波路束が形成されることができ、例として、各光導波路束は、光ファイバ束１０２の構造と類似する構造を有する。ある実施において、光ファイバ束７０２は、例として、導波路束コア（図示せず）を含むことができ、外部源からの光は、図２に示されるブラッグ反射器１１８〜１２２に関して上記で議論された同じ態様で、導波路束コアを実質的に横切る異なる方向の限定された範囲からだけ各ブラッグ反射器７３６、７２４、および７３８に制約されることができる。光ファイバ束７０４〜７１２は、外部源からの光が、導波路束コアを実質的に横切る異なる方向の限定された範囲からだけ各ブラッグ反射器に到達するように制約されることができるように構成されたブラッグ反射器（図示せず）を同様に含むことができる。例として、光検出器（図示せず）は、次に、光ファイバ７１４の端部から放出された光の存在または不在を定性的に測定し、かつ光検出データとして結果としてのオン・オフ・データを出力するように構成されることができる。プロセッサは、次に光源方位情報を生成するためにオン・オフ・データとともにブラッグ反射器方位情報を統合することができる。
【００５１】
ある実施において、各光ファイバ束７０２〜７１２を形成することは、図２に示される光ファイバ束１０２の構造に類似する構造を生じるために導波路束コア（図示せず）を形成しかつ凝固する間に、導波路束軸（図示せず）に沿ってかつ導波路束軸の周囲に実質的に整列された光ファイバ７１４を向けることを含むことができる。
【００５２】
ステップ８１０で、光導波路束グリッド７００は、例として矢印７１６および７１８によって規定されるグリッド面内の選択された方向にそれぞれ全体的に向けられた、光ファイバ束７０２〜７１２などの複数の光導波路束を含んで形成されることができる。ある実施において、光導波路束グリッド７００を形成することは、織物ファイバ７２０および７２２などの織物ファイバとともに、光ファイバ束７０２〜７１２などの光ファイバ束を織り込むことを含むことができる。他の例において、織物ファイバ７２０および７２２を含む事前形成されたファブリックが提供され、かつ光ファイバ束７０２〜７１２などの光ファイバ束がファブリック内に織られることができるか、または織物ファイバ７２０および７２２が、事前形成された光導波路束グリッド７００内に織られることができるかである。
【００５３】
ステップ８１２で、光検出器１２６〜１３０などの光検出器は、図１に関して上記で議論された同じ態様で、光導波路束グリッド７００の複数の光ファイバ束７１４の長手方向コア７４０と通信して配置されることができる。ステップ８１４で、プロセッサは、図１に関して上記で議論された同じ態様で、光検出器１２６〜１３０などの光検出器と通信して配置されることができ、かつ光検出データを光源方位情報に統合するように構成される。他の実施において、プロセッサは、ブラッグ反射器方位データを受けかつ統合することもできる。さらなる例として、プロセッサは、さらに衛星配置システム・データを受けかつ統合することができる。プロセスは、次にステップ８１６で終了することができる。
【００５４】
図９は、光源方位情報を生成しかつ利用するために、図７の光導波路束グリッドを含む図１の光源方位検出器の実施を使用する方法９００の流れ図である。方法９００は、ステップ９０２で開始し、ステップ９０４で、図１〜図７に関して上記で議論された構造を有する光源方位検出器が形成されることができる。光源方位検出器は、光導波路束グリッド７００と、光導波路束グリッド内の光ファイバ７１４と通信する光検出器１２６〜１３０などの１つ以上の光検出器と、１つ以上の光検出器と通信するプロセッサ１３２などのプロセッサとを含むことができる。
【００５５】
ステップ９０６で、プロセッサ１３２などのプロセッサは、光導波路束グリッド７００内に含まれることができるブラッグ反射器７２４〜７３４などのブラッグ反射器に関するブラッグ反射器方位データを用いてプログラムされることができる。ステップ９０８で、光導波路束グリッド７００は、検出されるべき光源に対する露出のために配置されることができる。例として、光導波路束グリッド７００は、兵士、法務官士官、または他の人間または動物の兵器目標によって着用される外側ジャケットまたは他の衣服内に組み込まれることができ、１つ以上の光検出器が、光ファイバ７１４の形態であり得る光導波路と通信されることができ、かつプロセッサが、前記で説明されたように光検出器と通信するように構成されることができる。ある実施において、兵士または法務官士官は、次に、敵の人員動作するレーザ目標兵器が存在することがある領域に位置する間に、外側ジャケットまたは他の衣服を着用することができる。例として、敵の人員は、目標に対して弾丸、ミサイルなどを誘導するためにレーザで、兵士または法務官士官を「ペイント」しようと試みることがある。
【００５６】
ステップ９１０で、光導波路束グリッド７００は、敵の人員によって動作されるレーザでペイントされることがある。光導波路束グリッド７００内のブラッグ反射器７２４〜７３４によって受けられたレーザ光は、次に、例えば光強度などの光検出データを生成する光検出器１２６〜１３０によって検出されることができる。
【００５７】
ステップ９１２で、プロセッサ１３２は、ブラッグ反射器方位データを有する光検出器１２６〜１３０からの光検出データを受け、かつ光源方位情報に統合することができる。ステップ９１４で、光源方位情報は、エンドユース・システムによって受けられ、かつエンドユース・システムを制御するために使用されることができる。ある実施において、エンドユース・システム１３４は、レーザ目標兵器から兵士または法務官士官を防御するために利用されることができる。例としてエンドユース・システム１３４は、防御的兵器の発射および目標付けを制御し、または敵の人員の位置に関して兵士または法務官士官に通知する音響および警告を制御することができる。他の例として、エンドユース・システムは、レーザ光源およびレーザ光源を動作する任意の敵の人員を攻撃するために、防御的兵器を制御するように構成されることができる。方法は、次にステップ９１６で終了することができる。ステップ９０４は、例として、光導波路束を形成することを含むが、光導波路束グリッドを形成することを含まないことができることは理解される。ステップ９０６は省略されることができ、かつステップ９１２は、プロセッサに光検出データを光源方位情報に統合させることを含み得ることがさらに理解される。ステップ９１４が省略され得ることはさらに理解される。
【００５８】
光源方位検出器１００は、検出器に対する光源の方位を決定することができ、柔軟性があり、耐久性があり、かつ敏感な光検出器が必要であるエンドユース応用で使用されることができる。光源方位検出器は、選択された構造を有する統合デバイスを形成するために、他の材料と容易に組み合わされることができる。例として、複数の光源方位検出器１００が、ファブリック内に織物ファイバとともに統合されることができ、それは、次に任意の選択されたファブリック・ベースの構造に形成されることができる。外側ジャケットに加えてファブリック・ベースの構造の例として、光源方位検出器１００を含む織物が、テント、ターフ、帆、帽子、パンツ、ベスト、およびシャツ内に形成されることもできる。
【００５９】
前述の記載は、光ファイバおよびブラッグ反射器に対するいくつかの例を参照したが、対象物は、これら構造に制限されず、また図面に示された構造にも制限されないことは理解される。プレーナ導波路などの他の導波路は、光ファイバに置き換えられることができる。プリズム・バーは、ブラッグ反射器に置き換えられることができる。光導波路、光導波路束、ブラッグ反射器、プリズム・バー、および光導波路束グリッドの他の形状、構成、数、および位置が含まれる。本明細書に開示されかつ図面に示されるような光源方位検出器の利用から恩恵を受ける任意のエンドユース・システム応用が含まれる。
【００６０】
さらに、多数の実施の前述の記載は、例示および記載を目的に示されたことは理解される。本記載は、排他的ではなく、かつ請求された発明を開示された厳密な形態に制限するものではない。修正および変形は、上記記載に照らして可能であり、または本発明の実施から得られることができる。請求項およびそれらの等価物が、本発明の範囲を規定する。
【図面の簡単な説明】
【００６１】
【図１】光ファイバ束を含む光源方位検出器を示す斜視図である。
【図２】図１の光源方位検出器からの光ファイバ束を示す線２−２で取られた断面図である。
【図３】光ファイバ束に含まれることができるプリズム列の形態のブラッグ反射器を有する、光ファイバを示す斜視図である。
【図４】図３の光ファイバを示す線４−４で取られた断面図である。
【図５】光源方位検出器に含まれることができるプレーナ導波路束を示す斜視図である。
【図６】図５のプレーナ導波路束を示す線６−６で取られた断面図である。
【図７】図１に示される光源方位検出器に含まれることができる光導波路束グリッドの一部を示す上面図である。
【図８】図７の光導波路束グリッドを含む図１の光源方位検出器を実施するためのプロセスの流れ図である。
【図９】光源方位情報を検出するために、図７の光導波路束グリッドを含む図１の光源方位検出器の実施を使用する方法の流れ図である。
【図１】
2009532703.tif 000003
【図２】
2009532703.tif 000004
【図３】
2009532703.tif 000005
【図４】
2009532703.tif 000006
【図５】
2009532703.tif 000007
【図６】
2009532703.tif 000008
【図７】
2009532703.tif 000009
【図８】
2009532703.tif 000010
【図９】
2009532703.tif 000011
【国際調査報告】
2009532703.tif 000012
2009532703.tif 000013
2009532703.tif 000014